(57)【要約】【課題】  光ディスクに情報を記録再生するディスク装置の小型化、薄型化を可能にし、レーザ光の利用効率を確保し、且つ光学部品点数を増加させることなく、小型化、薄型化することができるようにする。【解決手段】  レーザ光源から偏光面が楕円状のレーザ光を光ディスクの情報記録面と平行に出射して、レーザ光源から出射されたレーザ光を入射光の光軸と反射光の光軸とを含む面が光ディスクの接線方向に対して略４５°の角度を成すように載置された立上げ手段に、レーザ光の楕円状偏光面の長軸方向が光ディスクの情報記録面と平行となるように入射させ、立上げ手段により反射されたレーザ光を集光して光ディスクの情報記録面にスポット光を照射するようにする。【選択図】        図１
2005339617.tif 000002
【特許請求の範囲】
【請求項１】
レーザ光のスポット光を光ディスクの情報記録面に照射して光ディスクに情報を記録再生する光ピックアップ装置であって、
偏光面が楕円状のレーザ光を光ディスクの情報記録面と平行に出射するレーザ光源と、前記レーザ光源から出射されたレーザ光を前記光ディスクの情報記録面と平行な面内で９０°屈曲させて反射する反射手段と、前記反射手段により反射されたレーザ光を前記光ディスクの情報記録面に向けて垂直上方向に反射する立上げ手段と、前記立上げ手段により反射されたレーザ光を集光して前記光ディスクの情報記録面にスポット光を照射する集光手段とを備え、
前記立上げ手段の入射光の光軸と反射光の光軸とを含む面が前記光ディスクの接線方向に対して略４５°の角度を成すように前記立上げ手段を載置し、前記レーザ光源から出射されたレーザ光を前記反射手段により前記立上げ手段に向けて屈曲させて反射させて、反射されたレーザ光をその楕円状偏光面の長軸方向が前記光ディスクの情報記録面と平行となるように前記立上げ手段に入射させるようにしたことを特徴とする光ピックアップ装置。
【請求項２】
レーザ光のスポット光を光ディスクの情報記録面に照射して光ディスクに情報を記録再生する光ピックアップ装置であって、
偏光面が楕円状のレーザ光を光ディスクの情報記録面と平行に出射するレーザ光源と、前記レーザ光源から出射されたレーザ光を前記光ディスクの情報記録面に向けて垂直上方向に反射する立上げ手段と、前記立上げ手段により反射されたレーザ光を集光して前記光ディスクの情報記録面にスポット光を照射する集光手段とを備え、
前記立上げ手段の入射光の光軸と反射光の光軸とを含む面が前記光ディスクの接線方向に対して所定の鋭角を成すように前記立上げ手段を載置し、前記レーザ光源から出射されたレーザ光をその楕円状偏光面の長軸方向が前記光ディスクの情報記録面と平行となるように前記立上げ手段に入射させるようにしたことを特徴とする光ピックアップ装置。
【請求項３】
前記立上げ手段は、その入射光の光軸と反射光の光軸とを含む面が前記光ディスクの接線方向に対して略４５°の角度を成すように載置されていることを特徴とする請求項２記載の光ピックアップ装置。
【請求項４】
レーザ光を前記光ディスクの情報記録面と平行な面内で９０°屈曲させて反射する反射手段を更に備え、
前記レーザ光源から出射されたレーザ光を前記光ディスクの情報記録面と平行な面内で９０°屈曲させて反射させ、反射されたレーザ光を前記立上げ手段に入射させるようにしたことを特徴とする請求項２記載の光ピックアップ装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の光ディスクに情報を記録再生するディスク装置に組み込まれる光ピックアップ装置に係り、特に光ピックアップ装置の小型化、薄型化に関する。
【背景技術】
【０００２】
近年、ＤＶＤ、ＣＤ等の光ディスクを記録媒体として情報を記録再生するディスク装置が多用途に利用されるようになり、それに伴ってディスク装置の小型化、薄型化が望まれるようになってきている。ディスク装置は、光ディスクに情報を記録再生する光ピックアップ装置の大きさ、厚みにより必然的に小型化、薄型化が制限される。そのため、光ピックアップ装置の小型化、薄型化が望まれ、種々の形態の光ピックアップ装置が提案されている。しかしながら、レーザ光の利用効率を確保し、且つ光学部品の点数を増加させることなく、光ピックアップ装置を容易に小型化、薄型化することが困難であるという問題点があった。
【０００３】
背景技術としては、レーザダイオードから偏光面が楕円状に出射されるレーザ光の中の情報の記録再生に用いられない長軸方向の縁部のレーザ光の光強度を検出して、レーザ光の光出力を制御するようにしたものがあった（例えば、特許文献１又は特許文献２参照）。
【０００４】
また、レーザダイオードから出射されるレーザ光をホログラムパターン、或いはグレーティングパターンにより回折させて、その回折光の一方を検出することにより製造のばらつきや波長変動の影響を受け難くしてレーザ光の光出力を制御するようにしたものがあった（例えば、特許文献３参照）。
【０００５】
また、レーザダイオードから偏光面が楕円状に出射されるレーザ光のスポット光の短軸方向が光ディスクの情報記録面のトラックに平行な方向になるようにして、光ピックアップ装置を薄型化するようにしたものがあった（例えば、特許文献４参照）。
【０００６】
また、レーザダイオードの出射光学系と光検出素子の入射光学系とを光ディスクの情報記録面に平行な同一平面に配置して、レーザダイオードからのレーザ光をビームスプリッタにより屈曲させ、対物レンズの垂直下方向の４５°ミラーに入射するレーザ光の光ビームの方向をスピンドルモータと４５°ミラーと結ぶ線の方向に対してスピンドルモータ側に９０°以下にするようにして、光ピックアップ装置を薄型化するようにしたものがあった（例えば、特許文献５参照）。
【特許文献１】特開２００３−３４６３７６号公報
【特許文献２】特開２００２−２７０９４１号公報
【特許文献３】特開２００２−２５１７７５号公報
【特許文献４】特開平５−１９７９９６号公報
【特許文献５】特開平５−２９８７７５号公報
【発明の開示】
【発明が解決しようとする課題】
【０００７】
しかしながら、背景技術で述べたもののうち最初のものにおいては、レーザダイオードから偏光面が楕円状に出射されるレーザ光の中の情報の記録再生に用いられない長軸方向の縁部のレーザ光の光強度を検出して、レーザ光の光出力を制御することができたが、レーザダイオードのＰＮ接合を光ディスクの記録面に対して垂直方向に配置して、レーザ光の広がり角の広い方向（長軸方向）を用いた場合、レーザ光の広がり角の広い方向が反射ミラーの上下方向となるため、光ピックアップを薄型化することができないという問題点があった。
【０００８】
また、次のものにおいては、レーザダイオードから出射されるレーザ光をホログラムパターン、或いはグレーティングパターンにより回折させて、その回折光の一方を検出することにより製造のばらつきや波長変動の影響を受け難くしてレーザ光の光出力を制御することができたが、レーザ光の利用効率を確保し、且つ光学部品の点数を増加させることなく、光ピックアップ装置を容易に小型化、薄型化するようにしたものではなかった。
【０００９】
また、更にその次のものにおいては、レーザダイオードから偏光面が楕円状に出射されるレーザ光のスポット光の短軸方向が光ディスクの情報記録面のトラックに平行な方向になるように照射して、光ピックアップ装置を薄型化することができたが、レーザ光のスポット光の短軸方向が光ディスクの情報記録面のトラックに平行な方向（光ディスクの接線方向）になるようにしていたため、レーザ光のスポット光の長軸方向が隣接するトラック方向（光ディスクの半径方向）になり、光ピックアップの薄型化が制限されるという問題点があった。
【００１０】
また、更にその次のものにおいては、レーザダイオードの出射光学系と光検出素子の入射光学系とを光ディスクの情報記録面に平行な同一平面に配置して、レーザダイオードからのレーザ光をビームスプリッタにより屈曲させ、対物レンズの垂直下方向の４５°ミラーに入射するレーザ光の光ビームの方向をスピンドルモータと４５°ミラーと結ぶ線の方向に対してスピンドルモータ側に９０°以下にするようにして、光ピックアップ装置を薄型化することができたが、２つの屈折面を有するビームスプリッタを必要としていたため、低コストで光ピックアップを薄型化することができないという問題点があった。
【００１１】
本発明は、背景技術の有するこのような問題点に鑑みてなされたものであり、その目的とするところは、光ディスクに情報を記録再生するディスク装置の小型化、薄型化を可能にし、レーザ光の利用効率を確保し、且つ光学部品点数を増加させることなく、小型化、薄型化することができる光ピックアップ装置を提供しようとするものである。
【課題を解決するための手段】
【００１２】
上記目的を達成するため本発明においては、レーザ光のスポット光を光ディスクの情報記録面に照射して光ディスクに情報を記録再生する光ピックアップ装置であって、偏光面が楕円状のレーザ光を光ディスクの情報記録面と平行に出射するレーザ光源と、前記レーザ光源から出射されたレーザ光を前記光ディスクの情報記録面に向けて垂直上方向に反射する立上げ手段と、前記立上げ手段により反射されたレーザ光を集光して前記光ディスクの情報記録面にスポット光を照射する集光手段とを備え、前記立上げ手段の入射光の光軸と反射光の光軸とを含む面が前記光ディスクの接線方向に対して所定の鋭角を成すように前記立上げ手段を載置し、前記レーザ光源から出射されたレーザ光をその楕円状偏光面の長軸方向が前記光ディスクの情報記録面と平行となるように前記立上げ手段に入射させるようにする。
【００１３】
前記立上げ手段は、その入射光の光軸と反射光の光軸とを含む面が前記光ディスクの接線方向に対して略４５°の角度を成すように載置するとよい。
【００１４】
更に、レーザ光を前記光ディスクの情報記録面と平行な面内で９０°屈曲させて反射する反射手段を備え、前記レーザ光源から出射されたレーザ光を前記光ディスクの情報記録面と平行な面内で９０°屈曲させて反射させ、反射されたレーザ光を前記立上げ手段に入射させるようにする。
【００１５】
これらの手段により、光ディスクに情報を記録再生するディスク装置の小型化、薄型化を可能にし、レーザ光の利用効率を確保し、且つ光学部品点数を増加させることなく、小型化、薄型化することができる。
【発明の効果】
【００１６】
請求項１記載の発明に係る光ピックアップ装置によれば、レーザ光源から偏光面が楕円状のレーザ光を光ディスクの情報記録面と平行に出射して、レーザ光源から出射されたレーザ光を光ディスクの情報記録面と平行な面内で９０°屈曲させて反射し、反射されたレーザ光を入射光の光軸と反射光の光軸とを含む面が光ディスクの接線方向に対して略４５°の角度を成すように載置された立上げ手段に、レーザ光の楕円状偏光面の長軸方向が光ディスクの情報記録面と平行となるように入射させ、立上げ手段により反射されたレーザ光を集光して光ディスクの情報記録面にスポット光を照射するようにしているので、レーザ光源から出射されたレーザ光の楕円状偏光面の長軸方向の広がりによる光ピックアップ装置の厚みの増加を抑制することができるとともに、光ピックアップ装置の光学部品の配置面積を小さすることができ、光ピックアップ装置を小型化、薄型化することができる。また、光ディスクの情報記録面に集光されるレーザ光のスポット光の楕円状偏光面の長軸方向が光ディスクの接線方向に対して略４５°の方向になり、良好なスポット光を光ディスクの情報記録面に照射することができる。
【００１７】
請求項２記載の発明に係る光ピックアップ装置によれば、レーザ光源から偏光面が楕円状のレーザ光を光ディスクの情報記録面と平行に出射して、レーザ光源から出射されたレーザ光を入射光の光軸と反射光の光軸とを含む面が光ディスクの接線方向に対して所定の鋭角で載置された立上げ手段に、レーザ光の楕円状偏光面の長軸方向が光ディスクの情報記録面と平行となるように入射させ、立上げ手段により反射されたレーザ光を集光して光ディスクの情報記録面にスポット光を照射するようにしているので、レーザ光源から出射されたレーザ光の楕円状偏光面の長軸方向の広がりによる光ピックアップ装置の厚みの増加を抑制することができ、光ピックアップ装置を薄型化することができる。
【００１８】
請求項３記載の発明に係る光ピックアップ装置によれば、レーザ光源から出射されたレーザ光を光ディスクの情報記録面に垂直情報に反射する立上げ手段の入射光の光軸と反射光の光軸とを含む面を光ディスクの接線方向に対して略４５°の角度を成すように載置するようにしているので、光ディスクの情報記録面に集光されるレーザ光のスポット光の楕円状偏光面の長軸方向が光ディスクの接線方向に対して略４５°の方向になり、良好なスポット光を光ディスクの情報記録面に照射することができる。
【００１９】
請求項４記載の発明に係る光ピックアップ装置によれば、レーザ光源から出射されたレーザ光を光ディスクの情報記録面と平行な面内で９０°屈曲させて反射させ、反射されたレーザ光を立上げ手段に入射させるようにしているので、光ピックアップ装置の光学部品の配置面積を小さくすることができ、光ピックアップ装置を小型化することができる。
【発明を実施するための最良の形態】
【００２０】
以下、適宜図面を参照しながら本発明を実施するための最良の形態を詳述する。図１は本発明の一実施例の光ピックアップ装置の一実施例を示す斜視図であり、図２は本発明の一実施例の光ピックアップ装置の一実施例を示す平面図である。
【００２１】
以下、図１の本発明の一実施例の光ピックアップ装置の一実施例を示す斜視図、図２の本発明の一実施例の光ピックアップ装置の一実施例を示す平面図を基に説明する。
【００２２】
光ピックアップ装置は、図２に示すように、レーザ光を出射するレーザダイオード１と、レーザダイオード１から出射されたレーザ光の回折光を発生させるグレーティング２と、レーザダイオード１から出射されたレーザ光を光ディスクの情報記録面と平行な面内で９０°屈曲させて反射する平行平板ハーフミラー３と、平行平板ハーフミラー３により反射されたレーザ光を光ディスクの情報記録面に垂直上方向に反射する立上げミラー４と、光ディスクの情報記録面により反射されたレーザ光の反射光を検出する４分割光検出器９とが、スレッドモータ（図示せず）の駆動によりガイドシャフト３０に沿って光ディスクの情報記録面に平行にスレッド移動するシャーシ２０上に載置されていて、光ピックアップ装置により光ディスクに情報を記録再生するようになっている。
【００２３】
レーザダイオード１は、安定した単一横モードのレーザ光の発振が得られるようにｐｎ接合の活性層、即ちレーザ光の発光部分の両側がバンドギャップの大きい半導体材料でサンドイッチされたダブルへテロ接合構造になっていて、レーザダイオード１から出射されるレーザ光は、レーザダイオード１のｐｎ接合に平行な方向に広がり角が狭く、レーザダイオード１のｐｎ接合に垂直な方向に広がり角が広くなるため、光ピックアップ装置の厚みが増えないないように、レーザダイオード１のｐｎ接合を光ディスクの情報記録面と平行になるように載置され、レーザダイオード１から出射されるレーザ光の楕円状偏光面の長軸方向が光ディスク１０の情報記録面と平行になるようになっている。
【００２４】
レーザダイオード１から出射されたレーザ光は、光ピックアップのシャーシ２０上にレーザダイオード１の光軸に対して４５°の角度を成す平行平板ハーフミラー３により光ディスク１０の情報記録面と平行な面内で９０°屈曲されて、光ディスク１０の情報記録面に垂直上方向に反射する立上げミラー４に向けて反射される。平行平板ハーフミラー３により反射されたレーザ光は、レーザ光の楕円状偏光面の長軸方向が光ディスク１０の情報記録面と平行となるように立上げミラー４に入射する。立上げミラー４は、図２に示すように、その入射光の光軸と反射光の光軸とを含む面が光ディスク１０の接線方向に対して略４５°の角度を成すように光ピックアップのシャーシ２０上に配置されている。立上げミラー４を光ディスク１０の接線方向に対して略４５°の角度を成すように載置することにより、レーザダイオード１を含む光学系と４分割光検出器９を含む光学系とが光ディスク１０の接線方向に対して略４５°の角度を成すようになり、光ピックアップの光学部品の配置面積を小さくすることができ、光ピックアップを小型化することができる。
【００２５】
立上げミラー４に入射したレーザ光は、図３に示すように、立上げミラー４により光ディスク１０の情報記録面に垂直上方向に反射される。立上げミラー４により反射されたレーザ光は、コリメータレンズ５により平行ビームにされ、１／４波長板６により楕円偏波から直線偏波に偏向されて、直線偏波に偏向されたレーザ光が対物レンズ７により光ディスク１０の情報記録面に集光され、集光されたレーザ光のスポット光が光ディスク１０の情報記録面に照射される。光ディスク１０の情報記録面に集光されたレーザ光のスポット光は、立上げミラー４が光ディスク１０の接線方向に対して略４５°の角度を成し、レーザダイオードから出射されたレーザ光の楕円状偏向面の長軸方向が光ディスク１０の情報記録面と平行となるように立ち上げミラー４に入射するようにしているので、光ディスク１０の情報記録面に集光されるレーザ光のスポット光は、その楕円状偏向面の長軸方向が光ディスク１０の接線方向に対して略４５°を成す方向となる。これにより、隣接するトラック方向への広がりが少なく、良好なスポット光を光ディスク１０の情報記録面に照射させることができる。
【００２６】
光ディスク１０の情報記録面により反射されたレーザ光の反射光は、対物レンズ７、１／４波長板６、コリメータレンズ５、立上げミラー４からなる光学系の光路を逆方向に戻って平行平板ハーフミラー３に入射し、平行平板ハーフミラー３を透過して４分割光検出器９に入射する。そして、光ディスク１０の情報記録面からの反射光が４分割光検出器９により検出されて、４分割光検出器９により検出された検出信号に基づいてトラッキング制御回路（図示せず）により光ピックアップのトラッキングが制御され、フォーカス制御回路（図示せず）により光ピックアップのフォーカスが制御されて、４分割光検出器９により検出された検出信号が信号処理回路（図示せず）により信号処理されて光ディスク１０の信号記録面に記録された情報が再生される。
【００２７】
また、レーザダイオード１から出射されてグレーティング２を透過したレーザ光の一部が、平行平板ハーブミラー３により立上げミラー４の側面に配置されたモニタ用ホトダイオードに向けて反射され、レーザダイオード１から出射されたレーザ光の光強度がモニタ用ホトダイオード８により検出され、モニタ用ホトダイオード８からの検出信号に基づいてレーザダイオード１の駆動電流が制御されて自動出力制御（Ａｕｔｏｍａｔｉｃ  Ｐｏｗｅｒ  Ｃｏｎｔｒｏｌ。ＡＰＣ）され、安定した所定の光強度のレーザ光がレーザダイオード１から出射されるようになっている。このことにより、モニタ用ホトダイオード８を立上げミラー４の横に載置してレーザ光を検出しているので、モニタ用ホトダイオード８に入射するレーザ光を多く光学部品を介さずに入射させることができ、レーザ光の利用効率が確保することができる。
【００２８】
以上、本発明を実施するための最良の形態について詳述したが、本発明はこれに限らず、当業者の通常の知識の範囲内でその変形や改良が可能である。例えば、レーザ光を平行平板ハーフミラー、立上げミラーにより反射させることを説明したが、レーザ光を他の光学部品、例えば、プリズム等により反射させるようにしてもよい。
【００２９】
また、レーザダイオードから出射されたレーザ光を平行平板ハーフミラーにより光ディスクの情報記録面に平行な面内で９０°屈曲させて、立上げミラーに向けて反射させ、光ディスクの情報記録面からのレーザ光の反射光を平行平板ハーフミラーを透過させて４分割光検出器により検出することを説明したが、レーザダイオードから出射されたレーザ光を平行平板ハーフミラーを透過させて立上げミラーに入射させ、光ディスクの情報記録面からのレーザ光の反射光を平行平板ハーブミラーにより光ディスクの情報記録面に平行な面内で９０°屈曲させて、４分割光検出器に向けて反射させ、その反射光を４分割光検出器により検出するようにしてもよい。
【図面の簡単な説明】
【００３０】
【図１】本発明の一実施例の光ピックアップ装置の一実施例を示す斜視図である。
【図２】本発明の一実施例の光ピックアップ装置の一実施例を示す平面図である。
【符号の説明】
【００３１】
１  レーザダイオード
２  グレーティング
３  平行平板ハーフミラー
４  立上げミラー
５  コリメータレンズ
６  １／４波長板
７  対物レンズ
８  モニタ用ホトダイオード
９  ４分割光検出器
１０  光ディスク
２０  シャーシ
３０  ガイドシャフト
【図１】
2005339617.tif 000003
【図２】
2005339617.tif 000004